(57)【要約】【課題】ストラップを着脱し易くすると共に、ストラップが意図せず外れることを防止し、且つ携帯機器の外観見栄えを向上させる。【解決手段】取付ピン（43）は、ストラップ（S）が引っ掛けられる被取付部（45）と、被取付部（45）と直角な回転軸部（47）とが一体形成されてなり、ストラップ用凹部（41）には、取付ピン（43）の回転軸部（47）を回転自在に支持するピン支持部（67）と、取付ピン（43）の被取付部（45）の遠心端部（45a）をストラップ用凹部（41）の開口側で受ける第１の回転規制部（83）とが設けられ、筐体（3）は、取付ピン（43）の回転動作を操作するための操作用開口（87）が設けられたキャビネット（13）と、操作用開口（87）を覆うリヤカバー（15）とを有する。【選択図】図５
2016076811.tif 000002
【特許請求の範囲】
【請求項１】
筐体に内方へ凹むストラップ用凹部が設けられ、該ストラップ用凹部内にストラップが取り付けられる取付ピンを備えた携帯機器において、
前記取付ピンは、前記ストラップが引っ掛けられる被取付部と、該被取付部と交差する方向に延びる回転軸部とが一体に形成されてなり、前記被取付部を前記ストラップ用凹部の開口に対応させて設けられ、
前記ストラップ用凹部には、前記取付ピンの回転軸部を、当該ストラップ用凹部の奥行き方向と交差する方向に沿わせた状態で回転自在に支持するピン支持部と、前記被取付部の遠心方向における端部を前記ストラップ用凹部の開口側で受けて該開口側へ前記被取付部を移動させる前記取付ピンの回転動作を規制する第１の回転規制部とが設けられ、
前記筐体は、前記ストラップ用凹部のうち前記ピン支持部を含む部分を構成し且つ前記取付ピンの回転動作を操作するための操作用開口が設けられたキャビネットと、該キャビネットに取り付けられて前記操作用開口を覆うカバーとを有する  
ことを特徴とする携帯機器。
【請求項２】
請求項１に記載された携帯機器において、
前記カバーには、前記取付ピンの被取付部に前記第１の回転規制部とは反対側で当接して前記ストラップ用凹部の奥側へ前記被取付部を移動させる前記取付ピンの回転動作を規制する第２の回転規制部が設けられている
ことを特徴とする携帯機器。
【請求項３】
請求項１又は２に記載された携帯機器において、
前記キャビネットは、表側キャビネットと、該表側キャビネットと前記カバーとの間に位置する裏側キャビネットとを有し、
前記表側キャビネットは、前記取付ピンが収容されるピン収容部と、該ピン収容部に収容された前記取付ピンが前記ピン収容部から抜け出ることを防止する抜止め部とを有する
ことを特徴とする携帯機器。
【請求項４】
請求項１〜３のいずれか１項に記載された携帯機器において、
前記ピン支持部は、前記取付ピンの回転軸部が該回転軸部の外周面を部分的に外側に突出させた状態に嵌め込まれる嵌入溝を有し、
前記操作用開口は、前記取付ピンの回転軸部のうち前記嵌入溝から突出した部分を露出させるように形成されている
ことを特徴とする携帯機器。
【請求項５】
請求項１〜４のいずれか１項に記載された携帯機器において、
前記取付ピンの遠心方向における端部は、角が丸められた形状を有している
ことを特徴とする携帯機器。
【発明の詳細な説明】
【技術分野】
【０００１】
本発明は、ストラップ（吊紐）を取付け可能な携帯機器に関する。
【背景技術】
【０００２】
従来から、この種の携帯機器には、筐体の表面に内方へ凹むストラップ用凹部を設け、そのストラップ用凹部内に回転動作を以てストラップの着脱が可能な回転式の取付ピンを備えたものが知られている。
【０００３】
例えば、特許文献１には、円柱状の水平部と円柱状の垂直部とを有するＴ字状の取付ピン（回転子）を採用し、この取付ピンが、水平部の両端に設けられたシャフトをストラップ用凹部内の左右両側面に設けられた軸孔にそれぞれ枢支させることで、ストラップ用凹部内に回転動作によって垂直部を外部へ出没自在に取り付けられ、さらにトーションスプリングで垂直部がストラップ用凹部内に位置する方向へ常時付勢された構成が開示されている。
【先行技術文献】
【特許文献】
【０００４】
【特許文献１】特開２００１−９４６５０号公報
【発明の概要】
【発明が解決しようとする課題】
【０００５】
特許文献１に開示されたストラップの取付け構造では、取付ピンの回転によりその取付ピンの垂直部がストラップ用凹部の外側へ開く構造になっているため、ストラップが引っ張られたときに取付ピンの垂直部が容易に開かないようにするには、取付ピンをトーションスプリングによる付勢力でストラップ用凹部内へ強く付勢しなければいけない。
【０００６】
しかし、トーションスプリングによる付勢力を強くすれば、その分だけストラップの着脱時において取付ピンを回転させるのに強い力が必要となり、取付ピンの操作性が悪くなることから、ストラップを着脱し難くなる。
【０００７】
また、トーションスプリングによる付勢力を強くするといっても、携帯機器の使用者が取付ピンの回動操作を行える範囲の強さに制限されるため、ストラップが引っ張られることで取付ピンに瞬間的に強い力が作用したときには、取付ピンが回転してしまい、ストラップが意図せず外れるおそれがある。
【０００８】
さらに、特許文献１に開示されたストラップの取付け構造では、Ｔ字状の取付ピン全体が外部から視認され、しかもストラップ用凹部の開口に取付ピンの垂直部の長さに対応した比較的広い開口面積を必要とするため、携帯機器の外観見栄え（意匠性）が損なわれてしまう。
【０００９】
本発明は、斯かる点に鑑みてなされたものであり、その目的とするところは、ストラップを着脱し易くすると共に、ストラップが意図せず外れることを防止し、且つ携帯機器の外観見栄えを向上させることにある。
【課題を解決するための手段】
【００１０】
上記の目的を達成するために、この発明では、筐体に設けられたストラップ用凹部内に取付ピンを回転自在に取り付け、筐体のカバーを外すとこの取付ピンを容易に回転させられるように携帯機器のストラップ取付部の構成を工夫した。
【００１１】
具体的には、本発明は、筐体に内方へ凹むストラップ用凹部が設けられ、そのストラップ用凹部内にストラップが取り付けられる取付ピンを備えた携帯機器を対象とし、以下の解決手段を講じたものである。
【００１２】
すなわち、本発明は、取付ピンが、ストラップが引っ掛けられる被取付部と、この被取付部と交差する方向に延びる回転軸部とが一体に形成されてなり、被取付部をストラップ用凹部の開口に対応させて設けられた構成を有する。ストラップ用凹部には、取付ピンの回転軸部を、当該ストラップ用凹部の奥行き方向と交差する方向に沿わせた状態で回転自在に支持するピン支持部と、取付ピンの被取付部の遠心方向における端部をストラップ用凹部の開口側で受けてその開口側へ当該被取付部を移動させる取付ピンの回転動作を規制する第１の回転規制部とが設けられている。そして、本発明は、筐体が、ストラップ用凹部のうちピン支持部を含む部分を構成し且つ取付ピンの回転動作を操作するための操作用開口が設けられたキャビネットと、このキャビネットに取り付けられて操作用開口を覆うカバーとを有することを特徴とする。
【００１３】
この構成によると、取付ピンの回転軸部を、ストラップ用凹部内に設けられたピン支持部で回転自在に支持すると共に、同凹部内に設けられた第１の回転規制部で取付ピンの被取付部の遠心方向における端部をストラップ用凹部の開口側で受けるようにしたので、ストラップが引っ張られることで取付ピンに瞬間的に強い力が作用したときには、第１の回転規制部で取付ピンの回転動作が規制されるから、取付ピンの被取付部がストラップ用凹部の開口外側に開くことがなく、ストラップが取付ピンから意図せず外れることを防止できる。
【００１４】
さらに、ばね等の付勢部材によって取付ピンを付勢しなくて済むことから、取付ピンの回転に要する力を低減し、取付ピンを軽く回転させることができる。これによって、取付ピンの操作性を向上させることができる。そして、筐体のキャビネットに設けた操作用開口を通して取付ピンの回転を操作できるようにし、この取付ピンの回転動作を以て取付ピンの被取付部にストラップを引っ掛けることを可能にしたので、筐体のカバーを外せばストラップを容易に着脱することができる。
【００１５】
また、上記の操作用開口は、筐体のカバーで覆うようにしたから、そのカバーをキャビネットに取り付けた状態では外部から視認されることがない。そして、本発明のストラップ取付け構造は、取付ピンの被取付部がストラップ用凹部の開口から外部に出てくる構造ではないし、当該ストラップ用凹部にストラップを二重にして挿入しなくても取付ピンの被取付部にストラップを引っ掛けることが可能であるので、ストラップ用凹部の開口を小さくすることができ、携帯機器の外観見栄えを向上させることができる。
【発明の効果】
【００１６】
したがって、本発明によれば、ストラップを着脱し易くできると共に、ストラップが意図せず外れることを防止でき、且つ携帯機器の外観見栄えを向上させることができる。
【図面の簡単な説明】
【００１７】
【図１】本発明の実施形態１に係る携帯電話機の背面斜視図である。
【図２】本発明の実施形態１に係る携帯電話機の分解斜視図である。
【図３】本発明の実施形態１に係る携帯電話機のリヤカバーを外した状態の要部を示す拡大斜視図である。
【図４】本発明の実施形態１に係る携帯電話機のリヤカバーの要部を示す拡大斜視図である。
【図５】本発明の実施形態１に係る携帯電話機のリヤカバーを外した状態の要部を示す拡大斜視図である。
【図６】図５のVI−VI線に対応する部分における携帯電話機の断面図である。
【図７】図５のVII−VII線に対応する部分おける携帯電話機の断面図である。
【図８】図５のVIII−VIII線に対応する部分における携帯電話機の断面図である。
【図９】本発明の実施形態１に係る携帯電話機のリヤカバーを外した状態の要部を示す断面斜視図である。
【図１０】本発明の実施形態１に係る携帯電話機にストラップを取り付ける作業を示す要部断面図である。
【図１１】本発明の実施形態２に係る携帯電話機のリヤカバーを外した状態の要部を示す側面図である。
【図１２】本発明の実施形態２に係る携帯電話機の図６相当図である。
【図１３】本発明の実施形態３に係る携帯電話機に用いられる取付ピンの側面図である。
【図１４】本発明の実施形態４に係る携帯電話機に用いられる取付ピンの側面図である。
【図１５】本発明の実施形態１の変形例に係る携帯電話機に用いられる取付ピンの側面図である。
【図１６】本発明の実施形態５に係る携帯電話機の図８相当図である。
【図１７】本発明の実施形態６に係る携帯電話機の図８相当図である。
【発明を実施するための形態】
【００１８】
以下、本発明に係る実施形態を図面に基づいて詳細に説明する。なお、以下の実施形態は、本質的に好ましい例示であって、本発明、その適用物、或いはその用途の範囲を制限することを意図するものではない。
【００１９】
また、以下の実施形態では、説明の便宜上、携帯電話機について、表示パネルの正面側を「前」、背面側を「後」と称し、上下方向における上側を「上」、下側を「下」と称し、表示パネルを正面側から見たときの左右方向における左側を「左」、右側を「右」と称する。
【００２０】
《発明の実施形態１》
図１は、この実施形態１に係る携帯電話機１を後側から見た斜視図である。図２は、この携帯電話機１の分解斜視図である。携帯電話機１は、図１及び図２に示すストレートタイプのスマートフォンと呼ばれる薄型の携帯機器であり、詳しくは図示しないが、正面視で略長方形状の扁平な筐体３内に、スピーカやマイク、カメラユニット５、カードコネクタ７、電池パック９、これらの動作を制御する回路基板１１などの複数の電子部品を収容した構造を有する。
【００２１】
筐体３は、図２に示すように、上記複数の電子部品を収容するキャビネット１３と、このキャビネット１３の後側に取り付けられるリヤカバー１５とを有する。キャビネット１３は、画像表示を行う表示パネル１７（図６〜図８参照）が前側に収容される表側キャビネット１９と、この表側キャビネット１９の後側に取り付けられて表側キャビネット１９とリヤカバー１５との間に位置する裏側キャビネット２１とで構成されている。表示パネル１７は、タッチパネル付きのものであって、携帯電話機１のユーザーインターフェイスを構成している。
【００２２】
表側キャビネット１９は、略長方形枠状の樹脂製フレーム部２３を有し、このフレーム部２３の内側開口を塞ぐように剛性部材としてのステンレス鋼板などの金属板２５がインサート成形されてなる。この表側キャビネット１９のフレーム部２３には、後方へ壁状に突出した前側周壁部２７が設けられている。この前側周壁部２７の外周面には、図示しないが、外側へ突出する複数の係止爪が周方向に間隔をあけて設けられている。
【００２３】
裏側キャビネット２１は、背面視で表側キャビネット１９に対応する外形を有した樹脂成形品である。この裏側キャビネット２１の外周縁部には、前方へ壁状に突出した後側周壁部２９が前側周壁部２７の外側に沿って延びるように設けられている。この後側周壁部２９のうち前側周壁部２７の各係止爪に対応する部分には、図示しないが、当該係止爪が嵌め入れられる係止孔が形成されている。そして、裏側キャビネット２１は、これら各係止孔に前側周壁部２７の係止爪を嵌め入れることで、表側キャビネット１９に取り付けられている。
【００２４】
また、表側キャビネット１９のうち前側周壁部２７に沿う同キャビネット１９の四隅を含む内側部分には、ビス３１をねじ込むための固定孔を有する取付ボス３３が後方へ突出させて複数（図２に示す例では８つ）設けられている。他方、裏側キャビネット２１のうちこれら各取付ボス３３に対応する箇所には、ビス３１を挿通させる挿通孔３５が形成されている。そして、裏側キャビネット２１は、これら各挿通孔３５にビス３１を挿通させると共に、当該ビス３１を対応する取付ボス３３の固定孔にねじ込むことにより、表側キャビネット１９にビス留めされている。
【００２５】
リヤカバー１５は、背面視で表側キャビネット１９に対応する外形を有する浅い略長方形皿状の樹脂成形品である。このリヤカバー１５の外周縁部にある前方へ湾曲した周壁部３７には、図示しないが、当該リヤカバー１５の内方又は前方に突出した複数の係止爪が設けられている。リヤカバー１５は、これら係止爪をキャビネット１３（例えば裏側キャビネット２１）に設けられた係合孔（不図示）に係合させることで、キャビネット１３に着脱自在に取り付けられている。
【００２６】
なお、裏側キャビネット２１は、前側周壁部２７の係止爪による取付けだけで表側キャビネット１９に固定されていてもよいし、ビス留めだけで表側キャビネット１９に固定されていても構わない。また、前側周壁部２７と後側周壁部２９とは、前後方向においてオーバーラップしていてもよいし、両面テープや接着剤などの接合材で貼り合わせられていてもよい。また、リヤカバー１５は、上記のような係止爪による取付けに代えて、その他の係合構造によりキャビネット１３に取り付けられていてもよく、使用者によるキャビネット１３への着脱が可能であればよい。
【００２７】
そして、携帯電話機１は、図１に示すように、ストラップＳを取付け可能なストラップ取付部３９を下端寄りの側面（図１に示す例では左側面）部分に備えている。このストラップ取付部３９には、筐体３の側面に開口し内方へ凹むストラップ用凹部４１が設けられている。そして、ストラップ取付部３９は、このストラップ用凹部４１内に、ストラップＳが取り付けられる金属製の取付ピン４３を備えている。
【００２８】
図３は、携帯電話機１のリヤカバー１５を外した状態の要部を後方左下側から見た拡大斜視図である。図４は、携帯電話機１のリヤカバー１５の要部を前方右下側から見た拡大斜視図である。図５は、携帯電話機１のリヤカバー１５を外した状態の要部を後方右下側から見た拡大斜視図である。図６は、図５のVI−VI線に対応する部分における携帯電話機１の断面図である。図７は、図５のVII−VII線に対応する部分おける携帯電話機１の断面図である。図８は、図５のVIII−VIII線に対応する部分における携帯電話機１の断面図である。
【００２９】
取付ピン４３は、図３、図５及び図８に示すように、ストラップＳが引っ掛けられる被取付部４５と、この被取付部４５の一端から当該被取付部４５と直交する方向に延びる回転軸部４７と、この回転軸部４７のうち被取付部４５とは反対側の端から被取付部４５と平行に延びる位置決め部４９とが一体に形成されてなり、全体としてコ字状の曲げ形状を有する。本実施形態の取付ピン４３のうち被取付部４５は位置決め部４９よりも長く形成されている。
【００３０】
ストラップ取付部３９は、表側キャビネット１９のフレーム部２３における前側周壁部２７の外側一角に一体に設けられた図２に示す概ね小部屋状のホルダ部５１と、裏側キャビネット２１及びリヤカバー１５のうちこのホルダ部５１を覆う部分とで構成されている。ホルダ部５１は、ストラップ用凹部４１の主体をなし、キャビネット１３の左右方向における外方（図３に示す例では左側方）に開口した、例えば縦長に延びる長方形状の挿入口５５を有する。
【００３１】
ホルダ部５１は、図２、図３及び図５〜図８に示すように、挿入口５５を有し且つ当該ホルダ部５１の外構えを構成する間口壁５７と、この間口壁５７と左右方向で対向しホルダ部５１の奥側突き当りを構成する奥側壁５９と、これら間口壁５７と奥側壁５９との上下両端を繋ぐ上側壁６１及び下側壁６３と、これら間口壁５７、奥側壁５９、上側壁６１及び下側壁６３の各前端を繋いでこれら各壁５７，５９，６１，６３で囲まれた部分の前側を塞ぐ前側壁６５とで構成されていて、内部が後方に開放された構造を有する。挿入孔口５５は、間口壁５７の上側寄りに形成されている。
【００３２】
このホルダ部５１のうち挿入口５５の直ぐ下側には、ホルダ部５１の前側壁６５から後方へ突出するピン支持部６７が設けられている。すなわち、表側キャビネット１９は、ストラップ用凹部４１のうちこのピン支持部６７を含む部分を構成している。ピン支持部６７は、前側壁６５から後方に延びる脚部６９と、この脚部６９の後端から間口壁５７の後側部分に沿って上方に突出した受け部７１とを有し、全体として前後方向における断面がＬ字状をなすように形成されている。
【００３３】
ピン支持部６７の脚部６９は、間口壁５７のうち挿入口５５の下側縁部と一体に設けられている。他方、ピン支持部６７の受け部７１は、間口壁５７のうち挿入口５５の後側縁部と一体に設けられている。この受け部７１は、取付ピン４３の回転軸部４７を前側で受ける底面部７３と、この底面部７３のうち間口壁５７とは反対側の端縁から後方に突出した右溝壁７５とを有する。また、間口壁５７の後側部分は、ピン支持部６７の底面部７３よりも後方に突出した部分を有し、その部分で右溝壁７５と左右方向に対向する左溝壁７７を構成している。
【００３４】
これら底面部７３と右溝壁７５及び左溝壁７７とは、取付ピン４３の回転軸部４７が嵌め込まれる嵌入溝７９を形成している。この嵌入溝７９の溝幅、つまり右溝壁７５と左溝壁７７との間の間隔は、取付ピン４３の回転軸部４７の直径と同じか若しくはそれよりも若干広い。また、嵌入溝７９の深さは、取付ピン４３の回転軸部４７の直径よりも浅く、例えば当該回転軸部４７の半径と同程度に形成されている。そのことで、嵌入溝７９は、嵌め込まれた取付ピン４３の回転軸部４７の外周面を部分的に後方へ突出させた状態で保持するようになっている。
【００３５】
ピン支持部６７は、取付ピン４３の回転軸部４７を、挿入口５５の後側にてホルダ部５１の奥行き方向と交差する上下方向に沿わせた状態で受け部７１により回転自在に支持する。このピン支持部６７とホルダ部５１の下側壁６３との間には、取付ピン４３の位置決め部４９を挿入可能な間隔が設けられている。取付ピン４３は、このピン支持部６７とホルダ部５１の下側壁６３との間に位置決め部４９を挿入し、ピン支持部６７に回転軸部４７を支持させることで、ピン支持部６７を上下方向に跨いで、被取付部４５をピン支持部６７の上側で挿入口５５、つまりストラップ用凹部４１の開口に対応させてホルダ部５１に設けられている。
【００３６】
また、ホルダ部５１の前側壁６５のうちピン支持部６７の上側で挿入口５５に対応する部分には、取付ピン４３の被取付部４５の遠心方向における端部（以下、「被取付側遠心端部」と称する）４５ａが挿入される上側凹陥部８１が形成されている。この上側凹陥部８１は、ホルダ部５１の挿入口５５よりも若干内側に離れた位置から奥側へ延びており、当該上側凹陥部８１に挿入された取付ピン４３の被取付側遠心端部４５ａがその取付ピン４３の回転動作に伴って挿入孔５５を基準としたホルダ部５１の奥側、つまりストラップ用凹部４１の奥側へ移動できるように形成されている。
【００３７】
上側凹陥部８１の挿入口５５側の突き当たりの壁部は、取付ピン４３の被取付側遠心端部４５ａをストラップ用凹部４１の開口側で受ける第１の回転規制部８３を構成している。この第１の回転規制部８３は、ストラップ用凹部４１の開口側へ被取付部４５を移動させる方向への取付ピン４３の回転動作を規制する。このように、ホルダ部５１には、ピン支持部６７と共に第１の回転規制部８３が設けられている。
【００３８】
また、ホルダ部５１の前側壁６５のうちピン支持部６７よりも下側の部分には、取付ピン４３の位置決め部４９の遠心方向における端部（以下、「位置決め側遠心端部」と称する）４９ａが挿入される下側凹陥部８５が形成されている。この下側凹陥部８５は、間口壁５７側の端からホルダ部５１の奥側に延びており、当該下側凹陥部８５に挿入された取付ピン４３の位置決め側遠心端部４９ａがホルダ部５１の奥側へ移動できるように形成されている。
【００３９】
そして、取付ピン４３の被取付側遠心端部４５ａを第１の回転規制部８３に当接させた状態では、当該被取付側遠心端部４５ａの端面と上側凹陥部８１の底面との間、及び位置決め側遠心端部４９ａの端面と下側凹陥部８５の底面との間には、それぞれ隙間が設けられる。そのことで、取付ピン４３を被取付部４５がホルダ部５１の奥側に移動する方向へスムーズに回転させることが可能になっている。
【００４０】
裏側キャビネット２１のうちホルダ部５１の後側に対応する部分には、ホルダ部５１の内部を後方へ開放する操作用開口８７が形成されている。操作用開口８７は、取付ピン４３の回転軸部４７のうちピン支持部６７の嵌入溝７９から突出した部分を露出させ、その突出部分を回すことで取付ピン４３の回転動作を操作するための開口である。リヤカバー１５は、キャビネット１３に取り付けられると、この操作用開口８７を覆って隠蔽する。
【００４１】
裏側キャビネット２１は、操作用開口８７の周縁部に、ホルダ部５１の左溝壁７７の後側部分に沿って上下方向に延びる連結部８９を有している。そのことで、操作用開口８７の形成による裏側キャビネット２１の強度低下、つまりは筐体３の強度低下が抑えられる。この連結部８９は、取付ピン４３の回転軸部４７のうち嵌入溝７９から突出した部分の一側方（左側方）を覆っている。
【００４２】
さらに、裏側キャビネット２１は、操作用開口８７の周縁部に、取付ピン４３の回転軸部４７のうち位置決め部４９側の端部を後側で覆う抜止め部９１を有する。キャビネット１３には、裏側キャビネット２１のうちこの抜止め部９１を含む操作用開口８７の周辺部分と、表側キャビネット１９のホルダ部５１との組合せにより、取付ピン４３を収容するピン収容部９３が構成されている。抜止め部９１は、上記連結部８９の下側で操作用開口８７の内方に張り出すように形成されていて、表側キャビネット１９に裏側キャビネット２１を取り付けた後は、取付ピン４３がピン収容部９３から抜け出ることを防止する。
【００４３】
また、裏側キャビネット２１の後側周壁部２９には、ホルダ部５１の間口壁５７と嵌合する切欠部９５が形成されている。そして、リヤカバー１５の周壁部３７のうちホルダ部５１の挿入口５５に対応する部分には、ストラップＳが挿通される例えば縦長の略楕円形状の挿通口９７が形成されている。この挿通口９７は、ストラップ用凹部４１の開口を構成している。すなわち、本実施形態のストラップ用凹部４１は、表側キャビネット１９のホルダ部５１の内面とリヤカバー１５の挿通口９７とで構成されている。
【００４４】
また、リヤカバー１５の前面側のうち操作用開口８７の抜止め部９１上側に対応する部分には、図４に示すように、操作用開口８７に挿入される凸状部９９が前方に突出させて設けられている。この凸状部９９は、突出端が右溝壁７５の後端と対峙するように上下方向に延びる突条片１０１と、操作用開口８７を通してホルダ部５１内にまで進入し取付ピン４３の被取付部４５に第１の回転規制部８３とは反対側で当接する第２の回転規制部１０３とで構成されている。なお、突条片１０１は、取付ピン４３の回転軸部４７後端と対峙していてもよい。
【００４５】
第２の回転規制部１０３は、ストラップ用凹部４１の奥側へ被取付部４５を移動させる方向への取付ピン４３の回転動作を規制する。したがって、リヤカバー１５をキャビネット１３に取り付けた状態では、取付ピン４３の被取付部４５が第１の回転規制部８３と第２の回転規制部１０３とに挟まれる。それにより、取付ピン４３の回転動作が双方向に規制される。
【００４６】
図９は、携帯電話機１のリヤカバー１５を外した状態の要部を示す断面斜視図である。上記構成の携帯電話機１では、リヤカバー１５を外すと、図９に示すように、操作用開口８７を通して取付ピン４３を回転させることができ、この取付ピン４３の回転動作を以て、取付ピン４３の被取付部４５へのストラップＳの引っ掛けと、当該被取付部４５からのストラップＳの取り外しとを行うことが可能になっている。
【００４７】
この携帯電話機１にストラップＳを取り付ける方法について、図１０（ａ）〜（ｃ）を参照しながら説明する。図１０（ａ）〜（ｃ）は、携帯電話機１にストラップＳを取り付ける作業を示す要部断面図である。携帯電話機１にストラップＳを取り付けるには、まず、図１０（ａ）に示すように、キャビネット１３からリヤカバー１５を取り外す。そうすると、操作用開口８７を通して取付ピン４３の回転軸部４７が後方に露出すると共に、第２の回転規制部１０３による取付ピン４３の回転動作の規制が解除される。
【００４８】
次いで、図１０（ｂ）に示すように、操作用開口８７を通して取付ピン４３の回転軸部４７を指で撫でるようにして回転させ、取付ピン４３の被取付部４５をホルダ部５１の奥側へ移動させる。そうすると、取付ピン４３の被取付側遠心端部４５ａと上側凹陥部８１の底面との間の隙間が拡大される。その状態で、ストラップＳを挿入口５５からホルダ部５１内部に挿入し、取付ピン４３の被取付側遠心端部４５ａと上側凹陥部８１の底面との間の拡大した隙間を通す。
【００４９】
そして、図１０（ｃ）に示すように、取付ピン４３の回転軸部４７を回転させ、取付ピン４３の被取付部４５を挿入口５５側に移動させて第１の回転規制部８３に当接させた状態に戻すと、ストラップＳを取付ピン４３の被取付部４５に引っ掛けることができる。しかる後、リヤカバー１５をキャビネット１３に取り付ければ、取付ピン４３の被取付部４５が第１の回転規制部８３と第２の回転規制部１０３とに挟まれて、取付ピン４３の回転動作が再び双方向に規制された状態となる。このようにして、携帯電話機１にストラップＳを簡単に取り付けることができる。
【００５０】
また、携帯電話機１からストラップＳを取り外す作業は、ストラップＳを取り付けるときと同様な手順で行うことができる。すなわち、まず、キャビネット１３からリヤカバー１５を取り外し、後方に露出した操作用開口８７を通して取付ピン４３を回転させることで取付ピン４３の被取付部４５をホルダ部５１の奥側へ移動させ、同ピン４３の被取付側遠心端部４５ａと上側凹陥部８１の底面との間の拡大した隙間を通してストラップ用凹部４１からストラップＳを引き抜く。
【００５１】
そして、取付ピン４３の回転軸部４７を回転させることで、取付ピン４３の被取付部４５を挿入口５５側に移動させて第１の回転規制部８３に当接させた状態に戻した後、リヤカバー１５をキャビネット１３に取り付ける。このようにして、携帯電話機１からストラップＳを簡単に取り外すことができる。
【００５２】
この実施形態１に係る携帯電話機１によれば、取付ピン４３の回転軸部４７を、ストラップ用凹部４１内に設けられたピン支持部６７で回転自在に支持すると共に、同凹部４１内に設けられた第１の回転規制部８３により取付ピン４３の被取付側遠心端部４５ａをストラップ用凹部４１の開口側で受けるようにしたので、ストラップＳが引っ張られることで取付ピン４３に瞬間的に強い力が作用したときには、第１の回転規制部８３で取付ピン４３の回転動作が規制されるから、取付ピン４３の被取付部４５がストラップ用凹部４１の開口外側に開くことがなく、ストラップＳが取付ピン４３から意図せず外れることを防止できる。
【００５３】
さらに、ばね等の付勢部材によって取付ピン４３を付勢しなくて済むことから、取付ピン４３の回転に要する力を低減し、取付ピン４３を軽く回転させることができ、取付ピン４３の操作性を向上させることができる。そして、筐体３の裏側キャビネット２１に設けた操作用開口８７を通して取付ピン４３の回転を操作できるようにし、この取付ピン４３の回転動作を以て取付ピン４３の被取付部４５にストラップＳを引っ掛けることを可能にしたので、リヤカバー１５を外せばストラップＳを容易に着脱することができる。
【００５４】
また、上記の操作用開口８７は、リヤカバー１５で覆うようにしたから、そのリヤカバー１５をキャビネット１３に取り付けた状態では外部から視認されることがない。そして、本実施形態のストラップ取付け構造は、取付ピン４３の被取付部４５がストラップ用凹部４１の開口から外部に出てくる構造ではないし、当該ストラップ用凹部４１にストラップＳを二重にして挿入しなくても取付ピン４３の被取付部４５にストラップＳを引っ掛けることが可能であるので、ストラップ用凹部４１の開口を小さくすることができ、携帯電話機１の外観見栄えを向上させることができる。
【００５５】
なお、上記実施形態１では、被取付部４５が位置決め部４９よりも長い構成の取付ピン４３を例に挙げて説明したが、これに限らず、取付ピン４３の被取付部４５と位置決め部４９とは同じ長さであってもよいし、位置決め部４９が被取付部４５よりも長く形成されていてもよい。
【００５６】
《発明の実施形態２》
この実施形態２に係る携帯電話機１は、裏側キャビネット２１の構成が上記実施形態１と異なる。なお、以降の各実施形態では、携帯電話機１について上記実施形態１と構成の異なる部分についてのみ説明し、同一の構成箇所は図１〜図１０に基づく上記実施形態１の説明に譲ることにして、その詳細な説明を省略する。
【００５７】
図１１は、この実施形態２に係る携帯電話機１のリヤカバー１５を外した状態の筐体３のうちホルダ部５１及びその周辺を示す側面図である。図１２は、この実施形態２に係る携帯電話機１の図６相当図である。本実施形態の携帯電話機１の筐体３を構成する裏側キャビネット２１には、上記実施形態１（図６）と異なり、図１１及び図１２に示すように、ホルダ部５１の左溝壁７７の後側部分に沿って上下方向に延びる連結部８９が設けられておらず、操作用開口８７は、ホルダ部５１の後側で挿入口５５と同じ方向に開放されて切欠き状に形成さている。
【００５８】
この実施形態２に係る携帯電話機１によれば、リヤカバー１５を外すと、取付ピン４３の回転軸部４７のうちピン支持部６７の嵌入溝７９から突出した部分が全て後方に露出するので、取付ピン４３をよりいっそう回転させ易くすることができる。その他については、上記実施形態１と同様な効果を得ることができる。
【００５９】
《発明の実施形態３》
この実施形態３に係る携帯電話機１は、取付ピン４３の構成が上記実施形態１と異なる。図１３は、この実施形態３の携帯電話機１に用いられる取付ピン４３の側面図である。本実施形態の取付ピン４３の被取付側遠心端部４５ａは、図１３に示すように、第１の回転規制部８３側に臨む面が円形をなすように巻かれており、それによって角が丸められた形状を有している。
【００６０】
この実施形態３に係る携帯電話機１によれば、取付ピン４３の回転動作に伴って被取付側遠心端部４５ａでキャビネット１３やストラップＳが傷付くことを防止できる。また、取付ピン４３の被取付側遠心端部４５ａと第１の回転規制部８３との当接面積が増大するので、取付ピン４３に取り付けられたストラップＳが引っ張られたときに当該被取付側遠心端部４５ａから第１の回転規制部８３にかかる荷重を分散させることができ、ストラップ取付部３９の強度を向上させることができる。その他については、上記実施形態１と同様な効果を得ることができる。
【００６１】
《発明の実施形態４》
この実施形態４に係る携帯電話機１は、取付ピン４３の構成が上記実施形態１と異なる。図１４は、この実施形態４の携帯電話機１に用いられる取付ピン４３の側面図である。本実施形態の取付ピン４３の被取付側遠心端部４５ａは、図１４に示すように、鍛造などの加工により略球状に形成されており、それによって角が丸められた形状を有している。そして、第１の回転規制部８３には、図示しないが、この被取付側遠心端部４５ａの形状に対応する凹状湾曲面が形成されている。そして、第１の回転規制部８３は、この凹状湾曲面で取付ピン４３の被取付側遠心端部４５ａを受けるようになっている。
【００６２】
この実施形態４に係る携帯電話機１によっても、上記実施形態３と同様に、取付ピン４３の回転動作に伴って被取付側遠心端部４５ａでキャビネット１３やストラップＳが傷付くことを防止でき、且つ、取付ピン４３の被取付側遠心端部４５ａと第１の回転規制部８３との当接面積が増大するので、ストラップ取付部３９の強度を向上させることができる。その他については、上記実施形態１と同様な効果を得ることができる。
【００６３】
《実施形態１の変形例》
図１５は、この変形例の携帯電話機１に用いられる取付ピン４３の斜視図である。本変形例の取付ピン４３は、図１５に示すように、被取付部４５と位置決め部４９とが互いに交差する方向に延びる３次元形状を有している。このような構成によれば、取付ピン４３の被取付部４５に対する位置決め部４９の位置が変わることにより、他の部品の取付け箇所を避けてスペースを有効に利用できる場合がある。
【００６４】
《発明の実施形態５》
この実施形態５に係る携帯電話機１は、取付ピン４３の構成とキャビネット１３の構成とが上記実施形態１と異なる。図１６は、この実施形態５に係る携帯電話機１の図８相当図である。本実施形態の携帯電話機１に用いられる取付ピン４３は、図１６に示すように、被取付部４５と回転軸部４７とで構成され、全体としてＬ字状に形成されている。
【００６５】
また、表側キャビネット１９のホルダ部５１は、上記実施形態１（図８）と異なり、下側凹陥部８５を備えず、ピン支持部６７は、ホルダ部５１の下側壁６３と一体に設けられている。裏側キャビネット２１のうち抜止め部９１の基端側には、前側に張り出した壁部９２が設けられている。この壁部９２は、取付ピン４３の回転軸部４７を下側で受ける下側ピン受け面９２ａを有する。また、裏側キャビネット２１の操作用開口８７の上端縁は、取付ピン４３の回転軸部４７を上側で受ける上側ピン受け面８７ａを有する。裏側キャビネット２１を表側キャビネット１９に取り付けた状態では、取付ピン４３の回転軸部４７の上下両端がこれら上側ピン受け面８７ａと下側ピン受け面９２ａとに挟まれ、それによって当該取付ピン４３の上下方向への移動が規制される。
【００６６】
この実施形態５に係る携帯電話機１によれば、ストラップ取付部３９の小型化を図ることができる。その他については、上記実施形態１と同様な効果を得ることができる。
【００６７】
《発明の実施形態６》
この実施形態６に係る携帯電話機１は、取付ピン４３の構成とキャビネット１３の構成とが上記実施形態１と異なる。図１７は、この実施形態６に係る携帯電話機１の図８相当図である。本実施形態の携帯電話機１に用いられる取付ピン４３は、上記実施形態５と同様に被取付部４５と回転軸部４７とで構成されている。
【００６８】
上記実施形態１では、ピン収容部９３が裏側キャビネット２１のうち抜止め部９１を含む操作用開口８７の周辺部分と表側キャビネット１９のホルダ部５１との組合せで構成されているとしたが、本実施形態では、抜止め部９１がホルダ部５１に設けられ、ピン収容部９３がホルダ部５１のみで構成されている。以下に、キャビネット１３のうちホルダ部５１周辺の構成について詳述する。
【００６９】
表側キャビネット１９のうちホルダ部５１の下側部分には肉抜き部９４が設けられていて、ホルダ部５１の下側壁部６３全体又はその一部は下方に撓むことが可能な厚さに形成されている。この下側壁部６３の後端部には、上方に突出する抜止め部９１が設けられている。そして、この下側壁部６３は、抜止め部９１の前側部分に、取付ピン４３の回転軸部４５を下側で受ける下側ピン受け面６３ａを有する。
【００７０】
また、ホルダ部５１の上側壁部６１の後端部は、取付ピン４３の回転軸部４５を上側で受ける上側ピン受け面６１ａを有する。取付ピン４３は、ホルダ部５１の下側壁部６３を下方に撓ませることで、ホルダ部５１内のピン収容部９３に収容される。このピン収容部９３に収容された取付ピン４３の回転軸部４７の上下両端は、下側ピン受け面６３ａと上側ピン受け面６１ａとに挟まれ、それによって当該取付ピン４３の上下方向への移動が規制される。
【００７１】
裏側キャビネット２１には、ホルダ部５１のうち少なくとも下側壁部６３及び上側壁部６１の各後端部が嵌め入れられる開口９６が形成されている。裏側キャビネット２１が表側キャビネット１９に取り付けられた状態では、ホルダ部５１の下側壁部６３は、上記開口９６の下端縁に支持されて下方への撓みが規制される。本実施形態のキャビネット１３では、ホルダ部５１の後側開口がそのまま操作用開口８７を構成している。
【００７２】
この実施形態６に係る携帯電話機１によれば、下側壁６３が下方に撓むことができるようになっているので、取付ピン４３を表側キャビネット１９に容易に取り付けることができる。また、ピン収容部９３が表側キャビネット１９のみで形成されているので、表側キャビネット１９に裏側キャビネット２１を組み付ける際、取付ピン４３が移動することがない。これによって、キャビネット１３に対する取付ピン４３の取付けが容易になり、携帯電話機１の組立て作業を簡易化できる。その他については、上記実施形態１と同様な効果を得ることができる。
【００７３】
なお、上記実施形態１〜６では、取付ピン４３について被取付部４５と回転軸部４７とが直角をなす構成を例に挙げて説明したが、これに限らず、取付ピン４３の被取付部４５と回転軸部４７とは、直角から若干傾斜した角度をなすように互いに交差する方向に延びていてもよい。
【００７４】
また、上記実施形態１〜６では、本発明に係る携帯機器について、携帯電話機１を例に挙げて説明したが、これに限らず、ＰＨＳ（Personal Handy-phone System）やＰＤＡ（Personal Digital Assistant）、モバイルツール、電子辞書、電卓、ゲーム機などの他の携帯機器にも適用することが可能である。
【００７５】
以上、本発明の好ましい実施形態について説明したが、本発明の技術的範囲は上記各実施形態に記載の範囲に限定されない。上記各実施形態が例示であり、それらの各構成要素の組合せに、さらに色々な変形例が可能なこと、またそうした変形例も本発明の範囲に属することは当業者に理解されるところである。
【符号の説明】
【００７６】
Ｓ…ストラップ、１…携帯電話機（携帯機器）、３…筐体、５…カメラユニット、７…カードコネクタ、９…電池パック、１１…回路基板、１３…キャビネット、１５…リヤカバー、１７…表示パネル、１９…表側キャビネット、２１…裏側キャビネット、２３…フレーム部、２５…金属板、２７…前側周壁部、２９…後側周壁部、３１…ビス、３３…取付ボス、３５…挿通孔、３７…周壁部、３９…ストラップ取付部、４１…ストラップ用凹部、４３…取付ピン、４５…被取付部、４５ａ…被取付側遠心端部、４７…回転軸部、４９…位置決め部、４９ａ…位置決め側遠心端部、５１…ホルダ部、５５…挿入口、５７…間口壁、５９…奥側壁、６１…上側壁、６１ａ…上側ピン受け面、６３…下側壁、６３ａ…下側ピン受け面、６５…前側壁、６７…ピン支持部、６９…脚部、７１…受け部、７３…底面部、７５…右溝壁、７７…左溝壁、７９…嵌入溝、８１…上側凹陥部、８３…第１の回転規制部、８５…下側凹陥部、８７…操作用開口、８７ａ…上側ピン受け面、８９…連結部、９１…抜止め部、９２…壁部、９２ａ…下側ピン受け面、９３…ピン収容部、９４…肉抜き部、９５…切欠部、９６…開口、９７…挿通口、９９…凸状部、１０１…突条片、１０３…第２の回転規制部、１０５…下側規制部、１０７…上側規制部
【図１】
2016076811.tif 000003
【図２】
2016076811.tif 000004
【図３】
2016076811.tif 000005
【図４】
2016076811.tif 000006
【図５】
2016076811.tif 000007
【図６】
2016076811.tif 000008
【図７】
2016076811.tif 000009
【図８】
2016076811.tif 000010
【図９】
2016076811.tif 000011
【図１０】
2016076811.tif 000012
【図１１】
2016076811.tif 000013
【図１２】
2016076811.tif 000014
【図１３】
2016076811.tif 000015
【図１４】
2016076811.tif 000016
【図１５】
2016076811.tif 000017
【図１６】
2016076811.tif 000018
【図１７】
2016076811.tif 000019